(57)【特許請求の範囲】
【請求項１】
レンズ鏡筒の固定筒の内部に配置されるレンズ枠であって、複数のレンズにより構成されるレンズ群を一体的に保持すると共に、光軸方向の前端側と後端側に開口を有する円筒状の第１レンズ枠と、
前記レンズ群を構成する一部のレンズであって偏心調整を行うレンズを内部に保持すると共に、前記第１レンズ枠の一方の挿入開口から挿入されて前記第１レンズ枠の内部に収容保持される円筒状の第２レンズ枠と、
前記第１レンズ枠の内周面に周方向に沿って径方向内向きに突出形成され、前記第１レンズ枠の内部に前記挿入開口から挿入する際の挿入側となる前記第２レンズ枠の挿入側端部又は前記第２レンズ枠に保持されたレンズの挿入側端部を光軸方向に係止する係止部と、
前記第２レンズ枠の前記挿入側端部と反対側の非挿入側端部に当接すると共に、前記第２レンズ枠を前記係止部の方向に押圧するように前記第１レンズ枠の内部に装着される板バネであって、前記非挿入側端部に当接する環状部と、該環状部に対して径方向外向きに突出形成されて前記第１レンズ枠の内周面よりも外側に突出する爪部とを備えた板バネと、
前記第１レンズ枠の内周面に周方向に沿って径方向外向きに形成され、前記板バネの爪部が嵌入されることにより、前記板バネを光軸方向に係止して前記板バネを前記第１レンズ枠の内部に装着した状態に保持する周方向溝と、
前記第１レンズ枠の内周面において前記周方向溝の周方向端部と連結される位置に光軸方向に形成され、前記第１レンズ枠の前記挿入開口から挿入された前記板バネの爪部が光軸周りの回転によって前記周方向溝に嵌入する位置まで前記爪部を案内する案内溝と、
前記第１レンズ枠の内部に収容保持された前記第２レンズ枠の位置に前記第１レンズ枠の外周面から内周面まで貫通するように径方向に形成されたネジ孔と、
前記ネジ孔に螺合されて前記第２レンズ枠の外周面に当接し、光軸と直交する方向に関して前記第２レンズ枠を前記第１レンズ枠に対して固定するネジであって、前記ネジ孔へのねじ込み量を調整することにより前記第２レンズ枠の固定位置を調整して前記第２レンズ枠に保持されたレンズの偏心調整を行うために前記ネジ孔に螺合される止めネジと、
前記レンズ鏡筒の少なくとも前記固定筒の外側から前記ネジ孔まで貫通するように径方向に設けられ、前記ネジ孔に螺合された前記止めネジのねじ込み量を調整するための工具が挿通される工具挿通孔と、
を備え、
前記周方向溝は、光軸を端辺とする平面のうち、前記ネジ孔の位置を含む平面と交差する位置に形成されることを特徴とする偏心調整機構を備えたレンズ鏡筒。
【請求項２】
前記ネジ孔は、前記第１レンズ枠の周方向に沿って少なくとも３箇所以上の位置に形成されたことを特徴とする請求項１記載の偏心調整機構を備えたレンズ鏡筒。
【請求項３】
前記第１レンズ枠に保持されるレンズ群は、第２レンズ枠に保持されるレンズよりも前記挿入開口側に保持されると共に前記第２レンズ枠の外周よりも口径が大きい開口側レンズを有し、該開口側レンズは、前記周方向溝が形成される前記第１レンズ枠の内周面よりも拡径された拡径内周面の位置に保持されると共に、前記第２レンズ枠が収容保持される内周面と前記拡径内周面との段差部分の壁面により光軸方向の位置が位置決めされることを特徴とする請求項１又は２記載の偏心調整機能を備えたレンズ鏡筒。
【請求項４】
前記開口側レンズは前記壁面との間に間隔環を挟んで前記第１レンズ枠の内部に保持されることを特徴とする請求項３記載の偏心調整機構を備えたレンズ鏡筒。
【請求項５】
前記レンズ群は、前記レンズ鏡筒の固定筒の内部に配置される光学系のうちの後側マスターレンズ群であることを特徴とする請求項１から４のいずれか一項記載の偏心調整機構を備えたレンズ鏡筒。
【発明の詳細な説明】
【技術分野】
【０００１】
本発明は偏心調整機構を備えたレンズ鏡筒に係り、特にレンズ鏡筒の光学系を構成する所定のレンズを光軸に対して直交方向に位置調整して光学性能（解像度等）を向上させる偏心調整機構を備えたレンズ鏡筒に関する。
【背景技術】
【０００２】
一般に、放送用又は業務用のテレビカメラなどに使用されるレンズ鏡筒では、鏡筒内（固定筒内）にレンズを組み込んだ後、レンズの先端部にコリメータを取り付け、レンズの結像状態（像質）を観察しながらＭＴＦ（解像度）等の光学性能を向上させるためのレンズの偏心調整が行なわれている。レンズの偏心調整は、光軸に対する直交方向への位置調整、光軸周りの回転調整、倒れ角の調整などにより行なわれている。
【０００３】
また従来、鏡筒内にレンズを組み込んだ後、その状態で偏心調整を行えるようにするため、鏡筒の外部から工具などを使用して光学性能への影響の大きい一部のレンズを動かして偏心調整を行えるようにした偏心調整機構が提案されている。
【０００４】
例えば、特許文献１の偏心調整機構によれば、外側レンズ枠に一体的に保持された複数枚のレンズからなるレンズ群の一部のレンズが、外側レンズ枠の内部に配置された内側レンズ枠に偏心調整を行うレンズとして保持される。また、外側レンズ枠に内側レンズ枠と係合する偏心ピンが軸支される。そして、鏡筒の外部からその偏心ピンまで貫通した孔を通じて偏心ピンを回動調整すると、内側レンズ枠のレンズの倒れ角の調整が行えるようになっている。
【０００５】
特許文献２の偏心調整機構によれば、特許文献１と同様に外側レンズ枠に複数枚のレンズからなるレンズ群が保持され、その一部のレンズが偏心調整を行うレンズとして内側レンズ枠に保持される。また、内側レンズ枠の外周部にはギヤが形成される。そして、鏡筒の外側からそのギヤまで貫通する開口を通じてギヤと噛合する回転手段により内側レンズ枠を回転調整すると、内側レンズ枠のレンズの光軸周りの回転調整が行えるようになっている。
【０００６】
特許文献３の偏心調整機構によれば、偏心調整を行うレンズを保持するレンズ枠に光軸に対して直交方向に露出部が形成され、その露出部が鏡筒外部に露出するように配置される。そして、その露出部を調整用治具を用いて変位させると、光軸に対して直交方向へのレンズの位置調整が行えるようになっている。
【先行技術文献】
【特許文献】
【０００７】
【特許文献１】特開２０００−６６０７６号公報
【特許文献２】特開２０００−７５１８２号公報
【特許文献３】特開平１１−１７４３０１号公報
【発明の概要】
【発明が解決しようとする課題】
【０００８】
ところで、光軸に対して直交方向へのレンズの位置調整によって偏心調整を行う偏心調整機構を設ける場合に、特許文献３のように偏心調整を行うレンズのレンズ枠に鏡筒外部に露出する露出部を形成する構造にすると、その露出部を鏡筒に挿通配置するために鏡筒をそのレンズの位置で前後に分離できるようにする必要がある。このとき、鏡筒の構造上、偏心調整を行うことができるレンズが限定され、光学性能への影響が大きい偏心調整に最適なレンズ以外のレンズを偏心調整する構造とするか、又は、偏心調整に最適なレンズの位置に合わせて大幅に鏡筒の構造を変更しなければならないという欠点がある。
【０００９】
一方、複数枚のレンズを１つのレンズ枠内に一体のレンズ群として光軸方向に精度良く位置決めした状態に保持させ、その内の一部のレンズを偏芯調整を行うレンズとして光軸に対して直交方向に位置調整できるように偏芯調整機構を設ける場合には、次のような機構が考えられる。即ち、特許文献１、２のように外側レンズ枠内に保持されたレンズ群のうち偏心調整を行うレンズを内側レンズ枠により保持し、外側レンズ枠に内側レンズ枠まで貫通する径方向のネジ孔を複数箇所に設けてそれらのネジ孔にネジを螺合させる。そして、鏡筒に外部からそれらのネジまで貫通する孔を形成する。これによれば、外側レンズ枠の各ネジを鏡筒外部から孔を通じて回動調整することにより、内側レンズ枠に保持されたレンズの光軸に対して直交方向への位置調整が可能となる。また、鏡筒には外側レンズ枠のネジを回動調整するための孔を設けるだけで良いため、光学性能への影響が大きい偏心調整に最適なレンズが、レンズ枠に一体的に保持されるレンズ群の一部のレンズであったとしても、容易にそのレンズを偏心調整するための機構をレンズ鏡筒に設けることができる。
【００１０】
また、このような偏心調整機構を設ける場合において、内側レンズ枠に保持されたレンズを偏心調整した際に、そのレンズの光軸方向の位置や倒れ角までもが変化してしまうと最適な状態に設定することが難しく、また、光学性能が悪化してしまう恐れもあるため、内側レンズ枠が光軸に対して直交方向のみに変位するような規制手段が必要となる。この規制手段についても、特許文献１、２の構成が適用できる。これによれば、外側レンズ枠に径方向内向きに突出した係止部が形成され、外側レンズ枠の一方の開口（挿入開口）から偏心調整を行うレンズを保持した内側レンズ枠を挿入すると、内側レンズ枠又はこれに保持されたレンズの挿入側の端部がその係止部に係止される。これにより、内側レンズ枠の抜け落ち防止と、光軸方向の位置決めが行なわれる。そして、内側レンズ枠の挿入後に板バネやゴムなどの環状の弾性部材が挿入された後、外側レンズ枠の内周面とネジ結合される押さえ環がねじ込まれて係止部と押さえ環との間に内側レンズ枠と弾性部材が挟み込まれた状態で固定される。従って、内側レンズ枠は弾性部材により係止部側に付勢された状態となり、光軸方向の位置や倒れ角を変化させることなく内側レンズ枠を光軸に対して直交方向に変位させることができる。
【００１１】
しかしながら、上記のように特許文献１、２に倣った構成による偏心調整機構では弾性部材と押さえ環が必要であるため、部品点数を削減して組立工数の削減とコストの削減を図る上で、より簡易な構造が期待される。
【００１２】
本発明はこのような事情に鑑みてなされたもので、外側レンズ枠により一体的に保持される複数のレンズからなるレンズ群の一部のレンズを光軸に対して直交方向に変位させて偏心調整を行う偏心調整機構の部品点数を削減して組立工数とコストの削減を図ることができる偏心調整機構を備えたレンズ鏡筒を提供することを目的とする。
【課題を解決するための手段】
【００１３】
前記目的を達成するために、請求項１に係る偏心調整機構を備えたレンズ鏡筒は、レンズ鏡筒の固定筒の内部に配置されるレンズ枠であって、複数のレンズにより構成されるレンズ群を一体的に保持すると共に、光軸方向の前端側と後端側に開口を有する円筒状の第１レンズ枠と、前記レンズ群を構成する一部のレンズであって偏心調整を行うレンズを内部に保持すると共に、前記第１レンズ枠の一方の挿入開口から挿入されて前記第１レンズ枠の内部に収容保持される円筒状の第２レンズ枠と、前記第１レンズ枠の内周面に周方向に沿って径方向内向きに突出形成され、前記第１レンズ枠の内部に前記挿入開口から挿入する際の挿入側となる前記第２レンズ枠の挿入側端部又は前記第２レンズ枠に保持されたレンズの挿入側端部を光軸方向に係止する係止部と、前記第２レンズ枠の前記挿入側端部と反対側の非挿入側端部に当接すると共に、前記第２レンズ枠を前記係止部の方向に押圧するように前記第１レンズ枠の内部に装着される板バネであって、前記非挿入側端部に当接する環状部と、該環状部に対して径方向外向きに突出形成されて前記第１レンズ枠の内周面よりも外側に突出する爪部とを備えた板バネと、前記第１レンズ枠の内周面に周方向に沿って径方向外向きに形成され、前記板バネの爪部が嵌入されることにより、前記板バネを光軸方向に係止して前記板バネを前記第１レンズ枠の内部に装着した状態に保持する周方向溝と、前記第１レンズ枠の内周面において前記周方向溝の周方向端部と連結される位置に光軸方向に形成され、前記第１レンズ枠の前記挿入開口から挿入された前記板バネの爪部が光軸周りの回転によって前記周方向溝に嵌入する位置まで前記爪部を案内する案内溝と、前記第１レンズ枠の内部に収容保持された前記第２レンズ枠の位置に前記第１レンズ枠の外周面から内周面まで貫通するように径方向に形成されたネジ孔と、前記ネジ孔に螺合されて前記第２レンズ枠の外周面に当接し、光軸と直交する方向に関して前記第２レンズ枠を前記第１レンズ枠に対して固定するネジであって、前記ネジ孔へのねじ込み量を調整することにより前記第２レンズ枠の固定位置を調整して前記第２レンズ枠に保持されたレンズの偏心調整を行うために前記ネジ孔に螺合される止めネジと、前記レンズ鏡筒の少なくとも前記固定筒の外側から前記ネジ孔まで貫通するように径方向に設けられ、前記ネジ孔に螺合された前記止めネジのねじ込み量を調整するための工具が挿通される工具挿通孔と、を備え、前記周方向溝は、光軸を端辺とする平面のうち、前記ネジ孔の位置を含む平面と交差する位置に形成されることを特徴としている。
【００１４】
本発明によれば、第１レンズ枠に一体的に保持されるレンズ群のうち、偏心調整を行うレンズを保持した第２レンズ枠を従来のように第１レンズ枠と別体の押さえ環と弾性部材を使用することなく、板バネのみで保持することができる。従って、部品点数を削減することができ、組立工数とコストの削減を図ることができる。そして、ネジ孔の止めネジの押圧力により第２レンズ枠内のレンズが光軸方向に変化することや傾くことが板バネの弾性力により最も効果的に防止される。
【００１５】
請求項２に係る偏心調整機構を備えたレンズ鏡筒は、請求項１に係る発明において、前記ネジ孔は、前記第１レンズ枠の周方向に沿って少なくとも３箇所以上の位置に形成されたことを特徴としている。本発明のように３箇所以上の位置にネジ孔を設けることにより、そのネジ孔に螺合された止めネジのねじ込み量を調整して光軸に対して直交方向に第２レンズ枠内のレンズの位置を調整することが可能となる。
【００１８】
請求項３に係る偏心調整機構を備えたレンズ鏡筒は、請求項１又は２に係る発明において、前記第１レンズ枠に保持されるレンズ群は、第２レンズ枠に保持されるレンズよりも前記挿入開口側に保持されると共に前記第２レンズ枠の外周よりも口径が大きい開口側レンズを有し、該開口側レンズは、前記周方向溝が形成される前記第１レンズ枠の内周面よりも拡径された拡径内周面の位置に保持されると共に、前記第２レンズ枠が収容保持される内周面と前記拡径内周面との段差部分の壁面により光軸方向の位置が位置決めされることを特徴としている。
【００１９】
本発明によれば、第１レンズ枠において第２レンズ枠のレンズよりも挿入開口側にレンズ（開口側レンズ）を保持する場合に、その開口側レンズの光軸方向の位置を位置決めする部位として、板バネを装着するための周方向溝に対して挿入開口側に必然的に形成される壁面を利用する。これによって開口側レンズの位置決め用の部位を特別に形成することが不要となる。
【００２０】
請求項４に係る偏心調整機構を備えたレンズ鏡筒は、請求項３に係る発明において、前記開口側レンズは前記壁面との間に間隔環を挟んで前記第１レンズ枠の内部に保持されることを特徴としている。本発明は、開口側レンズを位置決め用の壁面に直接当接するのではなく、間隔環を挟むようにした態様である。
【００２１】
請求項５に係る偏心調整機構を備えたレンズ鏡筒は、請求項１から４のいずれか一項に係る発明において、前記レンズ群は、前記レンズ鏡筒の固定筒の内部に配置される光学系のうちの後側マスターレンズ群であることを特徴としている。本発明は光学系の光学特性に影響の大きい後側マスターレンズ群に請求項１から４のいずれか一項に記載の発明を適用することを示す。
【発明の効果】
【００２２】
本発明によれば、外側レンズ枠により一体的に保持される複数のレンズからなるレンズ群の一部のレンズを光軸に対して直交方向に変位させて偏心調整を行う偏心調整機構の部品点数を削減することができ、組立工数の削減とコストの削減を図ることができる。
【図面の簡単な説明】
【００２３】
【図１】本発明が適用されるレンズ鏡筒全体を一部断面で示した側面図。
【図２】後側マスターレンズ群の周辺部の構成を示した拡大断面図。
【図３】後側マスターレンズ群の外側レンズ枠の斜視図。
【図４】板バネの形状を示した斜視図。
【図５】外側レンズ枠内への板バネの装着手順の説明に使用した説明図。
【発明を実施するための形態】
【００２４】
以下、添付図面に従って本発明に係る偏心調整機構を備えたレンズ鏡筒を実施するための形態を詳述する。
【００２５】
図１は、本発明が適用されるレンズ鏡筒全体を一部断面で示した側面図である。同図のレンズ鏡筒１０は、主に放送用又は業務用として取材等において携帯されて使用されるＥＮＧ(Electric News Gathering)カメラと呼ばれるレンズ交換式のカメラ装置にマウントにより装着されるインナーフォーカス式のレンズ鏡筒である。
【００２６】
レンズ鏡筒１０は、ネジなどにより連結されて一体化された不動の固定筒１１を有し、その固定筒１１は、主として中央部の中央固定筒１２と、中央固定筒１２に固定されて前側に配置された前側固定筒１４と、中央固定筒１２に固定されて後側に配置された後側固定筒１６とを有している。
【００２７】
固定筒１１の内部には被写体光を取り込んで結像する光学系が配置されており、光学系は、周知のように光軸に沿って前段側（光軸方向被写体側）からフォーカス光学系２０、ズーム光学系２２、アイリス２４、マスター光学系２６を有している。
【００２８】
フォーカス光学系２０は、ピントを合わせる被写体距離、即ち、焦点位置を調整（フォーカス調整）するための光学系であり、一定位置に固定された固定フォーカスレンズ群２０Ａと光軸方向に前後移動可能に支持された移動フォーカスレンズ群２０Ｂとからなる。移動フォーカスレンズ群２０Ｂが移動することにより焦点位置が変化する。
【００２９】
ズーム光学系２２は、ズーム倍率、即ち、焦点距離を調整するための光学系であり、光軸方向に前後移動可能に支持された変倍系レンズ群２２Ａと補正系レンズ群２２Ｂとからなる。変倍系レンズ群２２Ａが移動することによって焦点距離が変化し、補正系レンズ群２２Ｂが移動することによって変倍系レンズ群２２Ａの移動による焦点位置の変化が抑止される。変倍系レンズ群２２Ａと補正系レンズ群２２Ｂとはカム筒３０のカム機構によって予め決められた位置関係に従って連動して移動する。
【００３０】
アイリス２４は、光量調整のために絞り羽根を開閉動作させて開口径を変化させる。
【００３１】
マスター光学系２６は、最終的に像を結像させるための光学系であり、前側マスターレンズ群２６Ａと後側マスターレンズ群２６Ｂとからなる。前側マスターレンズ群２６Ａは一定位置に固定され、後側マスターレンズ群２６Ｂは、バックフォーカス調整等のために光軸に沿って移動可能に支持されている。
【００３２】
一方、固定筒１１には、上記移動可能に支持された移動フォーカスレンズ群２０Ｂ、ズーム光学系２２（変倍系レンズ群２２Ａ及び補正系レンズ群２２Ｂ）、アイリス２４、後側マスターレンズ群２６Ｂの各々を駆動するためのフォーカス駆動機構、ズーム駆動機構、アイリス駆動機構、マスター駆動機構が設けられている。
【００３３】
駆動機構の詳細については省略するが，固定筒１１の外周部にはフォーカスリング４０、ズームリング４２、アイリスリング４４、バックフォーカス調整リング４６が回動可能に配置されており、フォーカス駆動機構は、フォーカスリング４０の回動力によって移動フォーカスレンズ群２０Ｂが光軸方向に前後移動するように構成され、ズーム駆動機構は、ズームリング４２の回動力によってズーム光学系２２が光軸方向に前後移動するように構成され、アイリス駆動機構は、アイリスリング４４の回動力によってアイリス２４が開閉動作するように構成され、マスター駆動機構は、バックフォーカス調整リング４６の回動力によって後側マスターレンズ群２６Ｂが光軸方向に前後移動するように構成されている。
【００３４】
続いて、上記のレンズ鏡筒１０に設けられる偏心調整機構について説明する。上記のレンズ鏡筒１０には、光学系全体の光学性能への影響が大きいレンズとして後側マスターレンズ群２６Ｂの一部のレンズを光軸に対して直交方向に位置調整して偏心調整を行うための偏心調整機構が設けられている。
【００３５】
図２は、後側マスターレンズ群２６Ｂの周辺部の構成を示した拡大断面図である。同図に示すように後側マスターレンズ群２６Ｂは、６枚のレンズ（単レンズ）Ｇ１〜Ｇ６により構成されており、レンズＧ２とレンズＧ３、及び、レンズＧ４とレンズＧ５が、それぞれ対向面で接合されて各々の１枚のレンズ（接合レンズ）Ｇ２′、Ｇ４′を構成している。
【００３６】
これらの後側マスターレンズ２６Ｂの各レンズＧ１〜Ｇ６は、外側レンズ枠５０の内部に保持されて後側固定筒１６内に配置されるようになっている。
【００３７】
外側レンズ枠５０は、図３の斜視図にも示すように、内径が異なる第１円筒部５２、第２円筒部５４、第３円筒部５６、及び、第４円筒部５８を有しており、それらの第１円筒部５２〜第４円筒部５８が前側から順に配置されている。各円筒部５２、５４、５６、５８の間は、各円筒部５２、５４、５６、５８から連設された接続部によって連結されており、第１円筒部５２〜第４円筒部５８は例えばプラスチックにより一体形成されている。また、外側レンズ枠５０の第２円筒部５４と第３円筒部５６との接続部分には、径方向内向きに突出した係止部６０が周方向に沿って、即ち、環状に形成されている。なお、詳細は省略するが、第１円筒部５２の外周面は、後側固定筒１６内に配置された移動筒１７の内周面に例えばネジ結合されており、移動筒１７がバックフォーカス調整リング４６の回動により光軸方向に前後移動することによって外側レンズ枠５０も全体として光軸方向に前後移動するようになっている。
【００３８】
図２に示すように第１円筒部５２は最も内径が大きく、その内部にはレンズＧ１が保持されるようになっている。第１円筒部５２の後段の第２円筒部５４は、第１円筒部５２よりも内径が小さく、その内部に内側レンズ枠９０が保持されると共に、その内側レンズ枠９０に保持されたレンズＧ２′（Ｇ２及びＧ３）が配置されるようになっている。第２円筒部５４の後段の第３円筒部５６は、内径が最も小さく、その内部にレンズＧ４′（Ｇ４及びＧ５）が保持され、第３円筒部５６の後段の第４円筒部５８は、第３円筒部５６よりも内径が大きく、その内部にレンズＧ６が保持されるようになっている。
【００３９】
第２円筒部５４に配置されるレンズＧ２′はレンズ鏡筒１０における全体の光学系の光学性能への影響が大きいため偏心調整を行えるようになっており、レンズＧ２′は上記のように内側レンズ枠９０に保持された状態、即ち、外周部を内側レンズ枠９０に囲まれた状態で第２円筒部５４内に配置されている。
【００４０】
内側レンズ枠９０は、円筒状に形成されると共に、その外周面が外側レンズ枠５０の第２円筒部５４の内周面よりも僅かに小さい径を有しており、後述のように外周面側から径方向に押圧されて外側レンズ枠５０内（第２円筒部５４内）において光軸に対して直交方向に変位すると共に所望の位置に固定されるようになっている。そして、その押圧力によってレンズＧ２′に歪みが生じにないように例えば金属のように硬い材質で形成されている。
【００４１】
また、内側レンズ枠９０の前端部には、レンズＧ２′の前側縁部（前面の周縁部）を係止するために径方向内向きに突出した係止部９２が形成されている。
【００４２】
ここで、外側レンズ枠５０の内部に後側マスターレンズ群２６ＢのレンズＧ１〜Ｇ６を組み込む際の手順について説明すると、まず、内側レンズ枠９０の後側開口からレンズＧ２′が挿入され、レンズＧ２′の前側縁部が係止部９２に係止された状態で内側レンズ枠９０内に収容される。この後、そのレンズＧ２′が内側レンズ枠９０と共に外側レンズ枠５０の前側開口から挿入される。そして、第２円筒部５４の位置まで進入し、レンズＧ２′の後側縁部（後面の周縁部）が外側レンズ枠５０内に突設された係止部６０の前面側に当接する。これにより、レンズＧ２′は係止部６０によって光軸方向に位置決めされた状態で第２円筒部５４内に収容される。なお、この後、レンズＧ２′及び内側レンズ枠９０を後方に付勢しながら第２円筒部５４内に保持するための板バネ６６が外側レンズ枠５０内に挿入されて装着されるがこれについては後述する。また、レンズＧ２′の後側縁部ではなく、内側レンズ枠９０の後端部が係止部６０の前面に当接するようにしてもよい。ただし、レンズＧ２′の後側縁部を係止部６０に直接当接させる方がレンズＧ２′の位置決め精度が高く好適である。
【００４３】
次に、図２に示されている間隔環６２とレンズＧ１が外側レンズ枠５０の前側開口から順に挿入される。間隔環６２は、後面側が第１円筒部５２の内周部に径方向内向きに突出形成された押さえ部７０（詳細は後述）の前面に当接すると共に、前面側がレンズＧ１の後側縁部に当接する。これによりレンズＧ１が押さえ部７０の前面から光軸方向に所定距離離れた規定位置に位置決めされた状態で第１円筒部５２内に収容される。なお、間隔環６２は必須ではなく、レンズＧ１の後側縁部を押さえ部７０の前面に直接当接させてレンズＧ１を位置決めしてもよい。そして、レンズＧ１の前側縁部が外側レンズ枠５０（第１円筒部５２）の前端部において熱カシメなどの接着手段により固定され、レンズＧ１が第１円筒部５２内に保持される。
【００４４】
また、レンズＧ４′（Ｇ４及びＧ５）とレンズＧ６は、外側レンズ枠５０の後側開口から挿入されるようになっており、まず、レンズＧ４が外側レンズ枠５０内に挿入され、レンズＧ４′の前側縁部が係止部６０の後面に当接し、係止部６０により光軸方向に位置決めされた状態で第３円筒部５６内に収容される。続いて、図２に示されている間隔環６４が挿入された後、レンズＧ６が挿入され、間隔環６４の前面がレンズＧ４′の後側縁部に当接すると共に、間隔環６４の後面がレンズＧ６の前側縁部に当接する。これにより、レンズＧ６が、係止部６０の後面から光軸方向に所定距離離れた規定位置に位置決めされた状態で第４固定筒５８内に収容される。そして、レンズＧ６の後側縁部が外側レンズ枠５０（第４円筒部５８）の後端部において熱カシメなどの接着手段により固定されることにより、レンズＧ４′が第３円筒部５６内に保持されると共にレンズＧ６が第４円筒部５８内に保持される。
【００４５】
上記のようにして後側マスターレンズ群２６Ｂが組み込まれる外側レンズ群５０の第１円筒部５２の内周面には、周方向に沿った位置に径方向内向きに突出した押さえ部７０が形成されている。この押さえ部７０の内周面は第２円筒部５４の内周面と繋がっており、第２円筒部５４の一部とみなすこともできる。
【００４６】
押さえ部７０は、従来における押さえ環と同様の役割を有しており、その従来の押さえ環は、内側レンズ枠９０の外径よりも小さい内径の環状部材によって、内側レンズ枠９０の前側に配置される波板バネ等の弾性部材を係止すると共に、弾性部材の付勢力によって内側レンズ枠９０とレンズＧ２′を後方の係止部６０に押圧する役割を有している。
【００４７】
一方、本実施の形態の押さえ部７０は、従来の押さえ環と異なり、内側レンズ枠９０の第２円筒部５４内への内側レンズ枠９０及びレンズＧ２′の挿入を阻害しないように内側レンズ枠９０の外径よりも大きい内径（第２円筒部５４と一致した内径）により形成され、かつ、外側レンズ枠５０と別体ではなく一体形成されている。そして、その押さえ部７０の後側に、従来の弾性部材に相当する役割を有する環状の板バネ６６が装着保持されるようになっている。
【００４８】
図４は、板バネ６６の形状を示した斜視図であり、同図に示すように板バネ６６は、環状部６６Ａと、その外周部の等角度間隔（９０度間隔）ごとの４箇所の位置に径方向外向きに突出形成された爪部６６Ｂ、６６Ｂ、６６Ｂ、６６Ｂを有している。そして、環状部６６Ａの外径は、第２円筒部５４の内径に略一致し、爪部６６Ｂの外径（４つの爪部６６Ｂの外周縁が沿う円の径）は、第１円筒部５２の内径に略一致している。
【００４９】
これに対して、押さえ部７０の後側には、板バネ６６の４つの爪部６６Ｂが同時に嵌入されて板バネ６６を装着保持する周方向の溝７２が等角度間隔（９０度間隔）ごとの４箇所の位置（前側からみて上下方向と左右方向の各々に対向する位置）に形成されている。
【００５０】
また、押さえ部７０には、外側レンズ枠５０の前側開口から挿入される板バネ６６の各爪部６６Ｂを各溝７２の周方向の端の位置まで挿通させる（案内する）ための挿通部（案内溝）７０Ａが等角度間隔（９０度間隔）ごとの４箇所の位置に形成されている。即ち、押さえ部７０は、各溝７２の前側に周方向に沿って等角度間隔（９０度間隔）ごとの４箇所の位置に断続的に突出形成された突出部を有し、その突出部が形成されていない位置が上記挿通部７０Ａとなっている。
【００５１】
なお、外側レンズ枠５０を射出成形する際に溝７２はアンダーカットとなるため、外側レンズ枠５０の光軸方向に可動する金型のコアに対して溝７２は外側レンズ枠５０の径方向（光軸に対して直交方向）に可動すると共に径方向外向きに引き抜かれるスライドコアにより成形されるため、溝７２は、外側レンズ枠５０の外周面まで貫通する長孔により形成されている。
【００５２】
以上の構成によれば次のようにして板バネ６６を外側レンズ枠５０内に装着することができる。図５を参照して説明すると、上記のように、まず、外側レンズ枠５０の前側開口から、内側レンズ枠９０及びこれに保持されたレンズＧ２′を挿入し、第２円筒部５４内にそれらを収容する。続いて、外側レンズ枠５０の前側開口から板バネ６６を挿入し、板バネ６６の各爪部６６Ｂを押さえ部７０の挿通部７０Ａを通過させて溝７２が設けられている位置まで進入させる。そして、板バネ６６を周方向の所定向き（前側からみて時計回りの向き）に回転させると、板バネ６６の各爪部６６Ｂが各溝７２に嵌入して各爪部６６Ｂが押さえ部７０により光軸方向に係止された状態で保持される。
【００５３】
このようにして板バネ６６を装着すると、板バネ６６の環状部６６Ａの後面が内側レンズ枠９０の前端部に形成された光軸と直交する前端面９０Ａに当接し、内側レンズ枠９０の前端面９０Ａが光軸方向に板バネ６６に係止されて内側レンズ枠９０及びレンズＧ２′が第２円筒部５４内に保持される。また、このとき板バネ６６は、環状部６６Ａが前側、爪部６６Ｂが後側に捻られた状態に弾性変形するため、その弾性力により内側レンズ枠９０及びレンズＧ２が後方に押圧されて、内側レンズ枠９０内のレンズＧ２′の後側端部（光軸と直交する方向の後端面）が常に係止部６０の前面に押し当てられた状態に維持され、レンズＧ２′の光軸方向の位置が係止部６０の前面によって位置決めされる。
【００５４】
以上のように板バネ６６を外側レンズ枠５０内に装着することによって内側レンズ枠９０及びレンズＧ２′を保持する構造によれば、従来のように外側レンズ枠５０と別体の２つの部品、即ち、押さえ環と弾性部材を必要とせず、部品点数が削減されると共に、組立工数が削減される。
【００５５】
また、上記のように押さえ部７０の前面は、内側レンズ枠９０のレンズＧ２′よりも前側で保持されるレンズＧ１の光軸方向の位置の位置決め用の壁面としても作用している。従来では、第１レンズ枠５０と別体の押さえ環が固定される位置が定まらないため、押さえ環とは別の固定部位を基準にレンズＧ１の位置決めを行うようにしていたが、本実施の形態では押さえ部７０がその役割も有している。そのため、レンズＧ１を位置決めするための構成部を押さえ部７０と異なる位置に設ける必要がなく、レンズＧ１とレンズＧ２′の間隔を狭くするような光学設計が可能であり、レンズ鏡筒１０の小型化に寄与すると共に、構成が簡素化されてコストの低減も図ることができる。
【００５６】
一方、外側レンズ枠５０の第２円筒部５４には、等角度間隔（９０度間隔）となる４箇所の位置に径方向に貫通したネジ孔８０が形成されている。これらのネジ孔８０には、例えば先端が平らに加工されたとがり先の止めネジ１００がねじ込まれて、その止めネジ１００の先端が内側レンズ枠９０の外周面に押し当てられるようになっている。
【００５７】
これによれば、例えば、対向する２つのネジ孔８０、８０に螺合された２つの止めネジ１００、１００のうちの一方の止めネジ１００を弛めて、他方の止めネジ１００を締め込むようにして、各ネジ孔８０の止めネジ１００のねじ込み量を調整することによって、内側レンズ枠９０を光軸に対して直交方向（上下方向と左右方向）に変位させることができ、これによって、内側レンズ枠９０内に保持されたレンズＧ２′を光軸に対して直交方向に位置調整して偏心調整を行うことができるようになっている。このとき、内側レンズ枠９０は、板バネ６６によって後方に付勢されているため、レンズＧ２′の光軸方向の位置は変化せず、係止部６０により光軸方向に位置決めされた状態に維持される。また、内側レンズ枠９０は金属のような硬質の材料で成形されているため、止めネジ１００により内側レンズ枠９０に大きな圧力が加えられた場合にレンズＧ２′が歪むという事態も防止されている。
【００５８】
更に、板バネ６６の各爪部６６Ｂを保持する各溝７２は、外側レンズ枠５０の第２円筒部５４に設けられる各ネジ孔８０に対して光軸方向に重なる位置、即ち、光軸を端辺とする平面のうちネジ孔８０の位置を含む平面と交差する位置に形成されているため、内側レンズ枠９０に対する板バネ６６による後方への押圧力が止めネジ１００の当接する位置で最も大きくなる。従って、もし、止めネジ１００の締め込み時等において内側レンズ枠９０に前方への力が加わってしまうような場合でもレンズＧ２′の後側縁部が係合部６０の前面から離間した状態になることが抑止される。
【００５９】
また、止めネジ１００には、例えば、マイナスドライバの先端を差し込む凹溝１００Ａを有すると共に、外側レンズ枠５０の外周部に配置される移動筒１７や後側固定筒１６には、それらの外側からネジ孔８０まで径方向に貫通する貫通孔１１０が形成されている。従って、レンズ鏡筒１０を組み立てた後に、レンズ鏡筒１０の外側から貫通孔１１０にマイナスドライバを差し込むことによって止めネジ１００の凹溝１００Ａにマイナスドライバの先端を差し込んで止めネジ１００を回転させることができ、４箇所の止めネジ１００をねじ込み量（締め込み具合）を調整することによって、レンズＧ２′を光軸に対して直交方向に位置調整して光学性能が最も良くなるように偏心調整を行うことができるようになっている。なお、各ネジ孔８０に対して径方向の位置に上記の移動筒１７と後側固定筒１６以外の１又は複数の部材が配置される場合にはそれらの部材にも各ネジ孔８０まで貫通するように孔を形成しておき、止めネジ１００の位置まで外側からドライバを差し込めるようにすれば良く、又は、後側固定筒１６から容易に取り外すことができる部材にはそのような孔を形成することなく、偏心調整の際にその部材を取り外すようにしても良い。
【００６０】
以上、上記実施の形態において、板バネ６６を装着するための溝７２の前側の押さえ部７０は第１円筒部５２の内周面に突出形成される旨の説明をしたが、押さえ部７０は従来における押さえ環との比較のためにそのような構成部としたものであり、実際には、押さえ部７０は、内側レンズ枠９０が保持される第２円筒部５４の内周面に溝７２及び挿通部７０Ａを形成することによって、溝７２の前方に第２円筒部５４の一部として必然的に形成される部分である。従って、板バネ６６を装着するための構成部としては押さえ部７０を意図的に形成する必要はない。即ち、上記説明では内側レンズ枠９０が収容保持される位置の内周面（第２円筒部５４の内周面）よりも拡径された前方の内周面（第１円筒部５２の内周面）に押さえ部７０を突出形成するものとしたが、押さえ部７０を突出形成するための拡径された内周面は必要ない。また、このことから、内側レンズ枠９０が外側レンズ枠５０内の最も開口に近い位置に収容保持され、内側レンズ枠９０内のレンズよりも前方に保持されるレンズが存在しない場合のように内側レンズ枠９０が収容保持される内周面よりも拡径された内周面が前方に存在しない場合であっても、上記実施の形態と同様に板バネ６６を装着する構造を適用できる。
【００６１】
また、上記実施の形態では、外側レンズ枠５０の周方向に沿った４箇所の位置に止めネジ１００が螺合されるネジ孔８０を形成したが止めネジ１００は３箇所以上の位置に形成されていれば良い。また、板バネ６６の爪部６６Ｂと、その爪部６６Ｂが嵌入される溝７２も２箇所以上の位置に形成されていれば良い。ただし、例えば、爪部６６Ｂと溝７２は、ネジ孔８０の数以上形成され、光軸を端辺する平面のうちの少なくともネジ孔８０の位置を含む平面に交差する位置に溝７２が形成されていることが望ましい。
【００６２】
また、上記実施の形態において、外側レンズ枠５０内に内側レンズ枠９０を収容保持するための構造は前後が反対となるような構造であってもよい。
【００６３】
また、上記実施の形態では、後側マスターレンズ群２６Ｂの一部のレンズを偏心調整する場合の偏心調整機構について説明したが、他のレンズ群のレンズを偏心調整する場合においても上記実施の形態と同様の構成を適用できる。また、レンズ鏡筒の種類も上記実施の形態のＥＮＧカメラに使用されるレンズ鏡筒以外のものでも適用できる。
【符号の説明】
【００６４】
１０  レンズ鏡筒
１１  固定筒
１２  中央固定筒
１４  前側固定筒
１６  後側固定筒
１７  移動筒
２０  フォーカス光学系
２２  ズーム光学系
２４  アイリス
２６  マスター光学系
２０Ａ  固定フォーカスレンズ群
２０Ｂ  移動フォーカスレンズ群
２２Ａ  変倍系レンズ群
２２Ｂ  補正系レンズ群
２６Ａ  前側マスターレンズ群
２６Ｂ  後側マスターレンズ群
３０  カム筒
３０Ａ、３０Ｂ  カム溝
３０Ｃ  ネジ孔
４０  フォーカスリング
４２  ズームリング
４４  アイリスリング
４６  バックフォーカス調整リング
５０  外側レンズ枠
５２  第１円筒部
５４  第２円筒部
５６  第３円筒部
５８  第４円筒部
６０  係止部
６２、６４  間隔環
６６  板バネ
６６Ａ  環状部
６６Ｂ  爪部
７０  押さえ部
７０Ａ  挿通部
７２  溝
８０  ネジ孔
９０  内側レンズ枠
９０Ａ  前端面
９２  係止部
１００  止めネジ
１００Ａ  凹溝
１１０  貫通孔
Ｇ１〜Ｇ６、Ｇ２′、Ｇ４′  レンズ
【図１】
0005538135.tif 000002
【図２】
0005538135.tif 000003
【図３】
0005538135.tif 000004
【図４】
0005538135.tif 000005
【図５】
0005538135.tif 000006